(57)【要約】      （修正有）【課題】市中に数多く設置するために、経済性を追及すると同時に、利用者の使い勝手が良い電気自動車用充電スタンドを提供する。【解決手段】コンセントへＣＣＩＤ装置（充電コントロール装置）つきの充電ケーブルをつなぎ、充電を行うコンセントタイプの充電スタンドのうち、ケーブルの盗難、いたずら、接続時の安全のため、プラグからＣＣＩＤの部分までを充電スタンドに設けた収納部に収め、収納部に扉を設けて充電時には扉をロックするようにした構造の充電スタンドにおいて、収納部の扉１５をＬ字型、または収納部の筺体の形状に合わせて曲面状にする。充電スタンドが小型安価でありながら、コンセントへプラグを接続する際には扉が大きく開くので、大型充電スタンドと同様にＣＣＩＤ装置とケーブルを収納する作業が容易になる。【選択図】図３
0003186188.tif 000002
【実用新案登録請求の範囲】
【請求項１】
コンセントへCCID装置（充電コントロール装置）つきの充電ケーブルをつなぎ、充電用の電力を供給するコンセントタイプのほぼ角型の充電スタンドであって、コンセント、プラグ、ケーブル、CCIDの部分を充電スタンドに設けた収納部に収め、該収納部に扉を設けて扉をロックできるようにした構造の充電スタンドにおいて、コンセント、プラグおよびCCID装置を収納する収納部の扉をL字型としたことを特徴とする充電スタンド。
【請求項２】
請求項１の充電スタンドにおいて、L字型の扉を透明樹脂製にして、扉を閉めたあとでもコンセントへのプラグの接続状況などを視認できるようにした充電スタンド。
【請求項３】
コンセントへCCID装置（充電コントロール装置）つきの充電ケーブルをつなぎ、充電用の電力を供給するコンセントタイプの曲面部を有する筐体の充電スタンドであって、プラグからCCIDの部分までを充電スタンドに設けた収納部に収め、該収納部に扉を設けて扉をロックするようにした構造の充電スタンドにおいて、コンセント、プラグ、ケーブルおよびCCID装置を収納する収納部の扉を筐体の曲面に合わせた曲面部を有する扉としたことを特徴とする充電スタンド。
【考案の詳細な説明】
【技術分野】
【０００１】
本考案は、電気を動力とする電気自動車（ＥＶおよびＰＨＶ）の充電スタンドに関する。
【背景技術】
【０００２】
燃費が安価で、環境にも優しい電気自動車は今後大きく普及していくと考えられるが、その普及促進のカギは、いつでもどこでも充電ができるよう街中に数多くの充電スタンドを設置するなどインフラを整備することである。
【０００３】
電気自動車の燃料代に相当する充電代金は、ガソリン等の数分の一と安価なことが最大のメリットの一つであるが、充電サービスを事業として見ると利益は少ないとう課題が在る。したがって、充電設備は経済的なものでなければならない。
【０００４】
一方、誰でも使える安価な充電スタンドとしては、充電ケーブルを接続するコンセントのみを備え、電気自動車のユーザーが自分の充電ケーブルをコンセントに接続して充電するタイプのものが適している。しかるに、充電ケーブルには、充電のコントロール用にCCIDという制御装置が設けられていて、電気的な安全を確保するものの、充電ケーブル自体は高価であるため、充電中の盗難を防止する仕組みがなければならない。
【先行技術文献】
【特許文献】
【０００５】
【特許文献１】特開2011-182640
【特許文献２】特開22011-091916
【０００６】
充電ケーブルの盗難やいたずら防止のため、
【特許文献１】および
【特許文献１】には、コンセントに充電ケーブルを接続した後、CCID装置を含めて主要部分を充電スタンドに設けた収納部に収め、ロック可能な扉によって充電時には、充電ケーブルをコンセントから外せないようにした構造の角型筐体の充電スタンドが示されている。
【０００７】
しかし、このような充電スタンドをより小型にするために、筐体の寸法を小さくしていくとプラグやCCID装置を収納する収納部が小さくなり、また収納部を締め切る扉も小さくなるので、充電ケーブルを接続したり、CCID装置を含むケーブルの収納作業が非常にやりづらくなったりする欠点があった。
【０００８】
また、収納部の扉は金属製になっており、コンセントにプラグを接続し、CCID装置やケーブルを収納部にし、収納部の扉を閉めたあと、接続状況を確認することができないような欠点もあった。
【考案の概要】
【考案が解決しようとする課題】
【０００９】
本考案が解決しようとする第１の課題は、コンセントにプラグに接続し、CCID装置やケーブルを収納する作業が、経済性を追求した小型の角形筐体では非常にやりにくくなる問題で、これを解決するために、充電スタンドの筐体を大きくすると、材料費、重量、施工費などが高くなるといった欠点が出てしまう。
【００１０】
更に第２の課題として、コンセントにプラグを接続し、CCID装置を狭い収納部に押し込めて、収納部の金属製の不透明な扉を締めてしまうと、内部の接続状態が確認できないといった問題もあった。
【課題を解決するための手段】
【００１１】
小型の充電スタンドにおいて、コンセントへの接続やCCID装置などの収納作業をやりやすくできるように角型筐体の充電スタンドの扉をL字型構造として、開口部を大きく開くようにした。さらに、L字型の扉を透明な樹脂製にすることにより、扉を閉めたあとでも、内部の接続状態などを確認できるようにした。
【考案の効果】
【００１２】
本考案によれば、安価な小さな角型の筐体を使いながらCCID装置等を収納する収納部の扉をL字型にすることによって、大きな開口部を確保することができるので、充電ケーブルのコンセントへの接続やＣＣＩＤ装置の収納作業がやりやすくなるという大きな効果がある。また、扉を閉めたあとでも、内部の接続状態を確認できる効果がある。
【図面の簡単な説明】
【００１３】
【図１】は、二つのコンセントを持つ一般的な従来の角型筐体の充電スタンドの概要を示す図である。
【図２】は、従来の角型筐体の充電スタンドで充電ケーブル接続をおこなう際の前面扉の開閉動作を示す図である。
【図３】は、本考案の角型筐体の充電スタンドのＬ字型の前面扉の開閉動作を示す図である。
【図４】は、本考案の別の実施例として、L字型の取り付け位置を変えた構造を示す。
【図５】湾曲した前面扉を持つ充電スタンドの構造を示す図である。
【考案を実施するための形態】
【実施例１】
【００１４】
図１は、角型の筐体１で、二つの充電ケーブル接続部２，３を持つ充電スタンドの全体を示す図である。本スタンドの下部には制御装置を収納する箱４があり、基礎５の上に直立している。
【００１５】
充電ケーブル接続部２，３は、内部にコンセント、プラグ、充電制御用のＣＣＩＤ装置を収納するための収納部が2段に分けて設けてあり、それぞれの収納部は扉６、７によって閉じられるようになっている。収納部内には、充電ケーブルを接続するためのコンセント８が備え付けられており、充電時には、電気自動車に接続する充電ケーブル１１のプラグ９を、コンセント８に接続する。充電ケーブル１１には、充電制御用のＣＣＩＤ装置１０がついている。この充電スタンドで電気自動車の充電を行う作業は、充電ケーブル接続部の扉６を開いて行い、プラグ、ＣＣＩＤ装置を収納した後、扉を閉めて、扉の下部１２からケーブルを引き出すうようになっている。
【００１６】
本考案の目的は、充電スタンドを安価に製造するために、できるだけ小さな筐体にすることである。小さな筐体は、原材料のコスト、運送時の包装、製品の重量、運送費、設置作業のやりやすさにつながり、大きな経済的効果がある。
【００１７】
しかし、小さな筐体では、図２に断面図を示すように扉６も小さいので、ケーブル接続時に扉を開いたときに開く開口部１４も小さい。したがって、コンセント８にプラグ９を接続し、ＣＣＩＤ装置１０を収納部に入れる作業がやりにくくなる。
【００１８】
本考案は、以上説明したような、安価で小さな筐体の充電スタンドにおいて、充電ケーブルの接続作業がやりにくいという使い勝手の悪さを解消するために考案されたものである。すなわち、小さな筐体においても、ケーブルの接続作業を容易にするために、図３に示すように前面の扉１５の構造をＬ字型にし、Ｌ字型の扉１５を開くと収納部の開口部１６が大きく開くようにした。このようにした結果、ケーブルの接続作業は、図１の従来の充電スタンドを一回り大きな筐体にした時と同じように、ケーブルの接続作業がやりやすくなる。すなわち、小さく安価な充電スタンドでありながら、大きな筐体の充電スタンドと同様な作業性を確保できることになった。
【００１９】
本考案では、さらに経済性を発揮するために、上下２段の充電接続部２，３を設けている。そして、扉を設けた面は、周囲上で違った面に設けている。このため二つのコンセントを同時に使う場合に、扉から引き出す充電ケーブルが干渉したりする不便が無いという効果も在る。
【００２０】
上記L字型の扉を、透明な樹脂製にすると、狭い収納部にプラグ、CCID装置、充電ケーブルを収納して扉を閉めたあとでも、内部の接続状態に異常がないかどうかを外部から見ることが出来るという効果がある。
【実施例２】
【００２１】
図４は、別のＬ字型の扉の例である。Ｌ字型扉１７の短い部分が、蝶番につながっている。図３と図４のどちらも作業が容易になる点では同じである。
【実施例３】
【００２２】
さらに、扉は、Ｌ字型に限らず、図５に示すような湾曲した扉１８でも良い。すなわち、充電スタンドを構成する筐体の1側面にではなく、少なくとも2面に渡る部分で、コンセント、プラグ、ケーブル、CCID装置などを収納する収納部の扉を設けることで、本考案の効果が得られる。
【産業上の利用可能性】
【００２３】
本考案は、電気を動力とする自動車（電気自動車あるいはプラグインハイブリッド車）に対して、経済的で安全に確実に充電をする設備を提供するものであり、製造業の生産活動を増進するほか、電気自動車に便利で安全な充電システムを提供することから、大いに産業発展に貢献し、ＣＯ２削減など環境改善にも貢献できる。
【符号の説明】
【００２４】
１  充電スタンド    ２、３  充電ケーブル接続部    ４  制御部  ５  基礎部
６、７  扉          ８  コンセント  ９  プラグ      １０  ＣＣＩＤ装置    
１１  充電ケーブル  １２  充電ケーブルの引き出し口      １３  扉のロック装置      １４  充電接続部の開口部      １５  Ｌ字型の扉    １６  Ｌ字型扉の場合の開口部    １７  Ｌ字型扉の別の構造
１８  湾曲した構造の扉  
【図１】
0003186188.tif 000003
【図２】
0003186188.tif 000004
【図３】
0003186188.tif 000005
【図４】
0003186188.tif 000006
【図５】
0003186188.tif 000007